(57)【要約】【目的】  燃料電池を電源とする機器において電圧の負荷変動の大小に拘らず安定して電力を供給する。【構成】  デジタルカメラ１００では、メタノールを燃料とする燃料電池８６と水素ガスを燃料とする燃料電池８８とが搭載されている。起動時等、電圧の負荷変動が大きい時は、発電効率が高い燃料電池８８を発電させ、電圧の負荷変動が小さい時は発電効率が、燃料電池８８と比して小さい燃料電池８６を発電させる。これによって、電圧の負荷変動が大きい時に、短時間で必要な電気エネルギーを供給できる。【選択図】  図６
2005071911.tif 000002
【特許請求の範囲】
【請求項１】
機器で消費される電力を発電する燃料電池を搭載する燃料電池搭載機器であって、
発電効率が低い低燃料電池と、
発電効率が高い高燃料電池と、
前記機器の電圧の負荷変動が大きい時に前記高燃料電池を発電させ、前記機器の電圧の負荷変動が小さい時に前記低燃料電池を発電させる第１制御手段を有することを特徴とする燃料電池搭載機器。
【請求項２】
前記低燃料電池と前記高燃料電池の燃料は種類が異なることを特徴とする請求項１に記載の燃料電池搭載機器。
【請求項３】
前記低燃料電池、及び前記高燃料電池は、前記機器に着脱可能とされ、
前記低燃料電池、及び前記高燃料電池で消費される燃料を貯留する燃料貯留部と、
前記燃料貯留部から前記低燃料電池、及び前記高燃料電池へ燃料を供給する燃料供給路と、
前記燃料供給路に設けられた開閉弁と、
前記低燃料電池、及び前記高燃料電池の給液口が前記燃料供給路に接続されたことを検出する検出手段と、
前記検出手段から検出信号を受信すると前記開閉弁を開放する第２制御手段と、
を有することを特徴とする請求項１又は２に記載の燃料電池搭載機器。
【請求項４】
機器で消費される電力を発電する燃料電池を搭載する燃料電池搭載機器であって、
燃料の濃度が異なる複数の前記燃料電池を搭載することを特徴とする燃料電池搭載機器。
【請求項５】
前記燃料電池は、前記機器に着脱可能とされ、
前記燃料電池で消費される燃料を貯留する燃料貯留部と、
前記燃料貯留部から前記燃料電池へ燃料を供給する燃料供給路と、
前記燃料供給路に設けられた開閉弁と、
前記燃料電池の給液口が前記燃料供給路に接続されたことを検出する検出手段と、
前記検出手段から検出信号を受信すると前記開閉弁を開放する第２制御手段と、
を有することを特徴とする請求項４に記載の燃料電池搭載機器。
【発明の詳細な説明】
【技術分野】
【０００１】
本発明は、機器で消費される電力を発電する燃料電池を搭載する燃料電池搭載機器に関する。
【背景技術】
【０００２】
従来から燃料電池を電源とする機器が考案されている（例えば、特許文献１参照）。特許文献１では燃料電池を電源とするパソコンの起動時に補助電池から電力を供給することが開示されている。このことからわかるように燃料電池では、機器の起動時やデジタルカメラにおける動画撮影、ストロボ発光等の電圧の負荷変動が大きい時に安定して電力を供給できないという問題があった。
【特許文献１】特開平９−２１３３５９号公報
【発明の開示】
【発明が解決しようとする課題】
【０００３】
本発明は上記事実を考慮してなされたものであり、機器で消費される電力を発電する燃料電池を搭載する燃料電池搭載機器において、機器の電圧の負荷変動が大きい時でも安定して電力を供給することを目的とする。
【課題を解決するための手段】
【０００４】
請求項１に記載の燃料電池搭載機器は、機器で消費される電力を発電する燃料電池を搭載する燃料電池搭載機器であって、発電効率が低い低燃料電池と、発電効率が高い高燃料電池と、前記機器の電圧の負荷変動が大きい時に前記高燃料電池を発電させ、前記機器の電圧の負荷変動が小さい時に前記低燃料電池を発電させる第１制御手段を有することを特徴とする。
【０００５】
請求項１に記載の燃料電池搭載機器では、機器で消費される電力が、搭載する燃料電池によって発電される。この燃料電池は複数搭載されており、各燃料電池は発電効率が低い低燃料電池と、発電効率が高い高燃料電池となっている。
【０００６】
そして、第１制御手段は、機器の起動時等、機器の電圧の負荷変動が大きい時に、高燃料電池を発電させ、機器の電圧の負荷変動が小さい時に低燃料電池を発電させる。これによって、機器の電圧の負荷変動が大きい時に、短時間で必要な電気エネルギー量を機器に供給でき、機器の電圧の負荷変動を安定させることができる。また、機器の電圧の負荷変動が小さい時には、発電効率の低い、低コストな燃料によって低燃料電池を発電させれば良いので、燃料のコストを低減できる。
【０００７】
請求項２に記載の燃料電池搭載機器は、請求項１に記載の燃料電池搭載機器であって、前記低燃料電池と前記高燃料電池の燃料は種類が異なることを特徴とする。
【０００８】
請求項２に記載の燃料電池搭載機器では、複数の燃料電池の燃料の種類が異なる。例えば水素ガスを燃料とする燃料電池と、メタノールを燃料とする燃料電池とでは、水素ガスを燃料とする燃料電池の方が発電効率が高くなる。
【０００９】
第１制御手段は、機器の電圧の負荷変動が大きい時に、水素ガスを燃料とする燃料電池のように発電効率が高い燃料電池を発電させ、機器の電圧の負荷変動が小さい時に、メタノールを燃料とする燃料電池のように水素ガスと比して発電効率が低い燃料電池を発電させる。
【００１０】
これによって、機器の電圧の負荷変動の大小に関わらず、安定して電力を供給できる。また、機器の電圧の負荷変動が小さい時には、メタノールのように水素ガスと比して低コストな燃料によって燃料電池を発電させれば良いので燃料コストを低減できる。
【００１１】
請求項３に記載の燃料電池搭載機器は、請求項１又は２に記載の燃料電池搭載機器であって、前記低燃料電池、及び前記高燃料電池は、前記機器に着脱可能とされ、前記低燃料電池、及び前記高燃料電池で消費される燃料を貯留する燃料貯留部と、前記燃料貯留部から前記低燃料電池、及び前記高燃料電池へ燃料を供給する燃料供給路と、前記燃料供給路に設けられた開閉弁と、前記低燃料電池、及び前記高燃料電池の給液口が前記燃料供給路に接続されたことを検出する検出手段と、前記検出手段から検出信号を受信すると前記開閉弁を開放する第２制御手段と、を有することを特徴とする。
【００１２】
請求項３に記載の燃料電池搭載機器では、低燃料電池、及び高燃料電池が機器に着脱可能とされているので、古くなった低燃料電池、及び高燃料電池を新しい燃料電池に交換できる。また、燃料を貯留する燃料貯留部から低燃料電池、及び高燃料電池へ燃料を供給する燃料供給路には開閉弁が設けられている。低燃料電池、及び高燃料電池が機器に装着され給液口が燃料供給路に接続されると検出手段によって検出され、第２制御手段がこの検出信号を受信して開閉弁を開放する。
【００１３】
これによって、低燃料電池、及び高燃料電池の給液口が燃料供給路に接続されていない状態で燃料貯留部から低燃料電池、及び高燃料電池へ燃料を供給し、燃料が機器の内部に漏れ出してしまうことを防止できる。
【００１４】
請求項４に記載の燃料電池搭載機器は、機器で消費される電力を発電する燃料電池を搭載する燃料電池搭載機器であって、燃料の濃度が異なる複数の前記燃料電池を搭載することを特徴とする。
【００１５】
請求項４に記載の燃料電池搭載機器では、複数の燃料電池の燃料の濃度が異なる。燃料の濃度が高い燃料電池では、少量の燃料で長時間発電できる。しかし、高濃度なので高コストになる。
【００１６】
これに対して、燃料の濃度が低い燃料電池では燃料の消費が早く、燃料の交換を頻繁に行わなければならない。しかし、低濃度なので低コストである。
【００１７】
このような複数の燃料電池を搭載することによって、ユーザーが、燃料コストを優先するか、燃料を長持ちさせ、燃料の交換回数を減らすことを優先するかを選択できる。
【００１８】
請求項５に記載の燃料電池搭載機器は、請求項４に記載の燃料電池搭載機器であって、前記燃料電池は、前記機器に着脱可能とされ、前記燃料電池で消費される燃料を貯留する燃料貯留部と、前記燃料貯留部から前記燃料電池へ燃料を供給する燃料供給路と、前記燃料供給路に設けられた開閉弁と、前記燃料電池の給液口が前記燃料供給路に接続されたことを検出する検出手段と、前記検出手段から検出信号を受信すると前記開閉弁を開放する第２制御手段と、を有することを特徴とする。
【００１９】
請求項５に記載の燃料電池搭載機器では、燃料電池が機器に着脱可能とされているので、古くなった燃料電池を新しい燃料電池に交換できる。また、燃料を貯留する燃料貯留部から燃料電池へ燃料を供給する燃料供給路には開閉弁が設けられている。燃料電池が機器に装着され給液口が燃料供給路に接続されると検出手段によって検出され、第２制御手段がこの検出信号を受信して開閉弁を開放する。
【００２０】
これによって、燃料電池の給液口が燃料供給路に接続されていない状態で燃料貯留部から燃料電池へ燃料を供給し、燃料が機器の内部に漏れ出してしまうことを防止できる。
【発明の効果】
【００２１】
本発明は上記構成にしたので、機器で消費される電力を発電する燃料電池を搭載する燃料電池搭載機器において、機器の電圧の負荷変動の大小に関わらず、安定して電力を供給できる。
【発明を実施するための最良の形態】
【００２２】
以下に図面を参照しながら第１実施形態について説明する。
【００２３】
図１、図２、図３に示すように、デジタルカメラ１０の内部には、メタノール水溶液（ＣＨ3ＯＨ＋Ｈ2Ｏ）が充填された燃料タンク１２、１４が設けられている。燃料タンク１２には、燃料タンク１４に充填されたメタノールよりも高濃度のメタノールが充填されている。
【００２４】
燃料タンク１２の上面からは燃料供給管１５がカメラ筐体１３の上面まで延出している。また、燃料タンク１４の上面からは燃料供給管１７がカメラ筐体１３の上面まで延出している。
【００２５】
カメラ筐体１３の底部の中央部には、２次電池５１（図４参照）や電源端子１９、２１等が設けられたドッキングステーション２３が設けられている。そして、このドッキングステーション２３の両側は、燃料電池１６、１８が側方から装填される収納部２５、２７とされている。
【００２６】
燃料電池１６、１８は、メタノール水溶液と酸素（Ｏ2）の化学反応によって発電を起し、副生成物として水（Ｈ2Ｏ）、及び二酸化炭素（ＣＯ2）を生成するメタノール直接型燃料電池である。
【００２７】
電源端子１９、２１は、ドッキングステーション２３の収納部２５、２７に面したドッキング面２３Ａ、２３Ｂに設けられており、燃料電池１６、１８のドッキング面１６Ｄ、１８Ｄに設けられた電源端子３１、３３と接触する。また、ドッキング面１６Ｄ、１８Ｄには燃料電池１６、１８に燃料を供給するための給液口２０、２２が設けられている。
【００２８】
この給液口２０、２２に接続される燃料供給管３５、３７が、燃料タンク１２、１４の下面から延出している。燃料供給管３５、３７は、ドッキングステーション２３の内部を通ってドッキング面２３Ａ、２３Ｂから突出して給液口２０、２２に水密状態で接続されている。この給液口２０、２２には逆止弁（図示省略）が設けられており、燃料電池１６、１８から燃料が漏れ出さないようになっている。
【００２９】
また、燃料供給管３５、３７の管路には開閉弁３９、４１が設けられている。ドッキングステーション２３の電源端子１９、２１と燃料電池１６、１８の電源端子３１、３３とが接触すると、ＣＰＵ５０（図４参照）が、燃料供給管３５、３７が給液口２０、２２に接続されたと判定し、開閉弁３９、４１を開放する。電源端子１９、２１と電源端子３１、３３が接触した状態では、燃料供給管３５、３７と給液口２０、２２とは確実に接続されるので、燃料がカメラ筐体１３内に漏れ出してしまうことはない。
【００３０】
また、燃料供給管１５、１７の端部には、燃料ボンベ４３、４５が接続される燃料供給口４７、４９が設けられている。この燃料供給口４７、４９には、燃料ボンベ４３、４５が接続されると開かれる安全弁（図示省略）が設けられている。
【００３１】
また、燃料電池１６、１８のドッキング面１６Ｄ、１８Ｄの反対側の面には、燃料電池で生成された水を排出するための排出口５５、５７が設けられており、この排出口５５、５７にはキャップ５９、６３が着脱可能とされている。
【００３２】
図４には、本実施形態のデジタルカメラ１０の回路構成を示すブロック図が示されている。
【００３３】
デジタルカメラ１０には、撮影レンズ２６、シャッタ２８、絞り２９及びＣＣＤ撮像素子３０が備えられている。撮影レンズ２６、シャッタ２８、及び絞り２９を経由してＣＣＤ撮像素子３０上に結像された被写体像は、ＣＣＤ撮像素子３０によってアナログ画像信号に変換される。ここで、シャッタ２８によって、ＣＣＤ撮像素子３０からアナログ画像信号が読み出される際のスミアの発生が抑制される。
【００３４】
また、デジタルカメラ１０には、補助光発光手段としてのストロボ装置３２が内蔵されている。このストロボ装置３２は、低照度時、又は低照度時以外の必要時に閃光を発光し、被写体に補助光を照射する。
【００３５】
また、デジタルカメラ１０には、アナログ信号処理部３４、Ａ／Ｄ変換部３６、デジタル信号処理部３８、テンポラリメモリ４０、圧縮伸長部４２、内蔵メモリ（又はメモリカード）４４、画像モニタ４６、及び駆動回路４８が備えられている。
【００３６】
ＣＣＤ撮像素子３０は、駆動回路４８内のタイミング発生回路（図示省略）によって発生されたタイミングで駆動され、アナログ画像信号を出力する。また、駆動回路４８には、撮影レンズ２６のＡＦ駆動を制御するＡＦ制御回路、撮影レンズ２６のズーム駆動を制御するズーム制御回路、シャッタ２８の駆動を制御するシャッタ制御回路、絞り２９の駆動を制御する絞り制御回路等が含まれる。
【００３７】
ＣＣＤ撮像素子３０から出力されたアナログ画像信号は、アナログ信号処理部３４でアナログ信号処理され、Ａ／Ｄ変換部３６でＡ／Ｄ変換され、そして、デジタル信号処理部３８でデジタル信号処理される。デジタル信号処理されたデジタル画像データは、テンポラリメモリ４０に一時的に格納される。
【００３８】
テンポラリメモリ４０に格納されたデジタル画像データは、圧縮伸長部４２で圧縮されて内蔵メモリ（又はメモリカード）４４に記録される。尚、撮影モードによっては、圧縮の過程を省いて内蔵メモリ４４に直接記録しても良い。そして、テンポラリメモリ４０に格納されたデジタル画像データは画像モニタ４６に読み出され、画像モニタ４６に被写体像が映し出される。
【００３９】
また、デジタルカメラ１０には、デジタルカメラ１０全体の制御を司るＣＰＵ５０（第１制御手段、第２制御手段）、ズーム操作スイッチ等を含む操作スイッチ群５２、及びシャッタボタン５４が備えられている。操作スイッチ群５２を操作して所望の撮影状態に設定し、シャッタボタン５４を押下することによって、写真撮影が行われる。
【００４０】
また、デジタルカメラ１０には、２次電池５１、コンバータ５３、及び燃料電池１６、１８が備えられており、デジタルカメラ１０を構成する各部は、燃料電池１６、１８で発電される電気エネルギーで、又は燃料電池１６、１８で発電されて２次電池５１にバッファされた電気エネルギーで作動される。
【００４１】
図３に示すように、デジタルカメラ１０の背面には、ファインダ５６、ファインダＬＥＤ５８、撮影／再生モード選択スイッチ６０、電源切換えスイッチ６１、撮影モード選択ダイヤル６２、マルチファンクションの十字キー６４、カメラの動作モードや十字キー６４の機能等を文字やアイコンで表示するドットマトリクスの液晶表示機６６、バックスイッチ６８、メニュー／ＯＫスイッチ７０、画像モニタ４６、及びスピーカ７２等が設けられている。スピーカ７２からは、各種警告音が鳴らされるが、この点については後述する。
【００４２】
また、デジタルカメラ１０の上面には、シャッターボタン５４が設けられ、デジタルカメラ１０の側面には、音声／映像（Ａ／Ｖ）出力端子７６、デジタル（ＵＳＢ）端子７８、及びＤＣ入力端子８０が設けられている。
【００４３】
デジタルカメラ１０は、撮影／再生モード選択スイッチ６０によって撮影モード、又は再生モードが選択できるようになっており、撮影モード時には撮影モード選択ダイヤル６２によってマニュアル撮影、オート撮影、動画、ボイスレコーダー等の各モードが選択できるようになっている。尚、ボイスレコーダは、音声のみを記録するモードである。
【００４４】
画像モニタ４６は、電子ビューファインダとして使用できると共に、内蔵メモリ（又はメモリカード）４４から読み出した再生画像等を表示することができる。また、画像モニタ４６は、撮影可能コマ数や再生コマ番号の表示、ストロボ発光の有無、マクロモード表示、記録画質（クオリティー）表示、画素数表示等の情報も表示され、各種のメニュー等がメニュー／ＯＫボタン７０や十字キー６４の操作に応じて表示される。
【００４５】
次に燃料電池１６、１８について説明する。
【００４６】
図５に示すように、燃料電池１６のケーシング１２８は、電池セル１３０によって燃料室１６Ａと空気室１６Ｂに室が分けられている。ドッキング面１６Ｄには燃料室１６Ａに面して給液口２０が設けられ、ドッキング面１６Ｄの反対側の面には空気室１６Ｂに面して排水口２４が設けられており、燃料タンク１２から燃料室１６Ａへ燃料を供給でき、空気室１６Ｂから水を排水できるようになっている。
【００４７】
電池セル１３０は、燃料室１６Ａの壁面を構成するカーボンペーパー層１３０Ｄ、空気室１６Ｂの壁面を構成するカーボンペーパー層１３０Ｅ、カーボンペーパー層１３０Ｄの内側に設けられた燃料極触媒層１３０Ａ、カーボンペーパー層１３０Ｅの内側に設けられた空気極触媒層１３０Ｂ、及び燃料極触媒層１３０Ａと空気極触媒層１３０Ｂに挟まれるプロトン伝導膜１３０Ｃとで構成されている。カーボンペーパー層１３０Ｄ、１３０Ｅには、電源端子３１が導通可能に取り付けられている。
【００４８】
燃料タンク１２から燃料室１６Ａへメタノールが供給され、コンバータ５３を介して電池セル１３０に電圧が印加されると、メタノールが化学反応式（１）に示すように、二酸化炭素、水素イオン、及び電子に分解される。
【００４９】
ＣＨ3ＯＨ＋Ｈ2Ｏ→ＣＯ2＋６Ｈ+＋ｅ-  …（１）
二酸化炭素は、燃料室１６Ａの壁面に設けられた気液分離フィルタ１３４によって燃料室１６Ａから放出され、水素イオンは、プロトン伝導膜１３０Ｃを透過して空気極触媒層１３０Ｂへ移動する。そして、電子は、カメラの各部へ向い、又は、２次電池５１（図４参照）へ向かって２次電池５１を充電させる。
【００５０】
空気極触媒層１３０Ｂへ移動した水素イオンＨ+は、空気室１６Ｂの壁面に設けられた気液分離フィルタ１３６、及び気液分離フィルタ１３６に面してカメラ筐体１３に設けられた空気孔１３５を通って空気室１６Ｂへ流入した酸素、及び電子と結合して水となる。この水は、キャップ５９を外して排水口２４から排出する。
【００５１】
また、燃料電池１８の各部は、燃料電池１６と対称な配置となっており、燃料室１８Ａと燃料室１６Ａ、空気室１８Ａと空気室１６Ａ、及び給液口２０と給液口２２が、それぞれ向き合っている。また、燃料極触媒層１３０Ａ、プロトン伝導膜１３０Ｃ、空気極触媒層１３０Ｂがそれぞれ向き合っている。
【００５２】
また、燃料電池１６、１８を収納部２５、２７に挿入し、取り出すためにカメラ筐体１３の側面に設けられた蓋６５には、燃料電池１６、１８をドッキングステーション２３に向って付勢する板バネ６７が設けられている。この板バネ６７によって燃料電池１６、１８が付勢されるので、燃料供給管３５、３７が給液口２０、２２に押し込まれ、確実に接続される。
【００５３】
ここで、高濃度の燃料によって発電を行う燃料電池１６は、低濃度の燃料によって発電を行う燃料電池１８と比較すると、少量の燃料で大きな電気エネルギーを発電できるので、燃料が長持ちする。しかし、燃料電池１６で消費される燃料は高濃度であるが故に燃料電池１８で消費される燃料よりも高コストとなる。
【００５４】
ユーザーは、電源切換えスイッチ６１によって、発電させる燃料電池を燃料電池１６にするか、燃料電池１８にするか選択でき、燃料の持ちを優先するか、燃料のコストを優先するかを選択できる。
【００５５】
次に、第２実施形態について説明する。なお、第１実施形態と同様の構成には同一の符号を付し、説明は省略する。
【００５６】
図６、図７、図８に示すように、デジタルカメラ１００では、メタノール水溶液（ＣＨ3ＯＨ＋Ｈ2Ｏ）が充填された燃料タンク８２、水素ガスが充填された燃料タンク８４が、デジタルカメラ１００の内部に設けられている。
【００５７】
カメラ筐体１０１の底部には、燃料電池８６、８８が下方から装填される収納部９０が設けられており、収納部９０の中央部に面して、２次電池５１（図４参照）や電源端子１９、２１等が設けられたドッキングステーション８３が設けられている。
【００５８】
低燃料電池としての燃料電池８６は、メタノール水溶液と酸素（Ｏ2）の化学反応によって発電を起し、副生成物として水（Ｈ2Ｏ）、及び二酸化炭素（ＣＯ2）を生成するメタノール直接型燃料電池である。
【００５９】
高燃料電池としての燃料電池８８は、水素ガスと酸素の化学反応によって発電を起し、副生成物として水を生成する固体高分子型燃料電池である。
【００６０】
電源端子１９、２１は、ドッキングステーション８３の収納部２５、２７に面したドッキング面８３Ａに設けられており、燃料電池８６、８８のドッキング面８６Ｄ、８８Ｄに設けられた電源端子３１、３３と接触する。また、ドッキング面８６Ｄ、８８Ｄには燃料電池８６の燃料室８６Ａ、燃料電池８８の燃料室８８Ａに燃料を供給するための給液口２０、２２が設けられている。
【００６１】
この給液口２０、２２に接続される燃料供給管８５、８７が、燃料タンク８２、８４の下面から延出している。燃料供給管８５、８７は、ドッキングステーション２３の内部を通ってドッキング面８３Ａから突出して給液口２０、２２に水密状態で接続されている。この給液口２０、２２には逆止弁（図示省略）が設けられており、燃料電池８６、８８から燃料が漏れ出さないようになっている。
【００６２】
また、燃料供給管８５、８７の管路には開閉弁３９、４１が設けられている。この開閉弁３９、４１は、ドッキングステーション８３の電源端子１９、２１と燃料電池８６、８８の電源端子３１、３３とが接触すると、ＣＰＵ５０（図４参照）によって開放される。電源端子１９、２１と電源端子３１、３３が接触した状態では燃料供給管８５、８７と給液口２０、２２とは確実に接続されるので、燃料がカメラ筐体１０１内に漏れ出してしまうことはない。
【００６３】
また、燃料電池８６、８８のドッキング面８６Ｄ、８８Ｄの反対側の面には、燃料電池で生成された水を燃料電池８６の空気室８６Ｂ、燃料電池８８の空気室８８Ｂから排出するための排出口５５、５７が設けられており、この排出口５５、５７にはキャップ５９、６３が着脱可能とされている。
【００６４】
次に、電源を切換える方法について図９のフローチャートを参照して説明する。
【００６５】
デジタルカメラ１００の電源が投入されると処理ルーチンが開始され、ステップ２００へ進む。
【００６６】
ステップ２００では、燃料電池８６の電源端子３１とドッキングステーション８３の電源端子１９、及び燃料電池８８の電源端子３３とドッキングステーション８３の電源端子２１の少なくとも一方が接触するまで否定判定が繰り返され、肯定されるとステップ２０１へ進む。
【００６７】
ステップ２０１では、電源端子３１と電源端子１９、及び電源端子３３と電源端子２１の両方が接触しているか否かが判定され、否定されるとステップ２０２へ進み、肯定されるとステップ２０３へ進む。ステップ２０２では、装着された燃料電池のみを発電させてデジタルカメラ１０の各部に電力を供給し、処理ルーチンを終了する。
【００６８】
そして、ステップ２０３では、燃料電池８６と燃料電池８８を併用する併用モードがＯＮになり、画像モニタ４６に表示する。そして、ステップ２０４へ進む。ステップ２０４では、水素ガスを燃料とする燃料電池８８を発電させて、起動のために電圧の負荷変動が大きくなっている各部に電力を供給する。ここで、発電効率の高い燃料電池８８を発電させたので、短時間で必要な電気エネルギーを供給でき、電圧の負荷変動を安定させることができる。
【００６９】
ステップ２０５では、撮影／再生モード選択ダイヤル６２によって撮影モードに設定されているか、再生モードに設定されているかが判定される。再生モードと判定されると、ステップ２０６へ進む。
【００７０】
ステップ２０６では、燃料電池８６を発電させる。ここで、再生モード時には、起動時やストロボ装置３２からストロボ光を発光させる時のように電圧の負荷変動が大きくなく安定しているので、少量ずつ電力を供給すればよい。このため、水素ガスと比較して低コストであるメタノールを燃料とする燃料電池８６を発電させる。そして、ステップ２０７へ進む。
【００７１】
ステップ２０７では、電源がオフになるまで否定判定が繰り返されてステップ２０５へ戻り、肯定されると処理ルーチンが終了する。
【００７２】
そして、ステップ２０５において、撮影モードと判定されると、ステップ２０８へ進み、ストロボモードが選択されているか否かが判定され、否定されるとステップ２０６へ進み、上述したように、燃料電池８６を発電させる。
【００７３】
そして、ステップ２０８において肯定されると、ステップ２０９へ進む。ステップ２０９では、燃料電池８８を発電させる。ここで、ストロボ装置３２からストロボ光を発光させる際に電圧の負荷変動が大きくなるが、燃料電池８８は、水素ガスを燃料とし、メタノールを燃料とする燃料電池８６よりも発電効率が高いので対応できる。
【００７４】
そして、ステップ２０７へ進み、電源がオフになると処理ルーチンが終了する。
【００７５】
なお、第１、第２実施形態では、デジタルカメラ１０、１００を例に取って説明したが、これに限らず、カメラ付携帯電話やアナログカメラ等、燃料電池を電源とする他の燃料電池搭載機器に付いても適用可能である。
【００７６】
また、メタノール直接型燃料電池、固体高分子型燃料電池について説明したが、他の種類の燃料電池にも適用可能である。
【図面の簡単な説明】
【００７７】
【図１】第１実施形態のデジタルカメラを示す斜視図である。
【図２】第１実施形態のデジタルカメラを示す斜視図である
【図３】第１実施形態のデジタルカメラを示す斜視図である。
【図４】第１実施形態のデジタルカメラの回路構成を示すブロック図である。
【図５】第１実施形態のデジタルカメラに搭載される燃料電池を示す断面図である。
【図６】第２実施形態のデジタルカメラを示す斜視図である。
【図７】第２実施形態のデジタルカメラの燃料タンク、ドッキングステーションを示す斜視図である。
【図８】第２実施形態のデジタルカメラの燃料電池を示す断面図である。
【図９】第２実施形態のデジタルカメラの電源を切換える方法を示すフローチャートである。
【符号の説明】
【００７８】
１０    デジタルカメラ（燃料電池搭載機器）
１２    燃料タンク（燃料貯留部）
１４    燃料タンク（燃料貯留部）
１６    燃料電池
１８    燃料電池
１９    電源端子（検出手段）
２０    給液口
２１    電源端子（検出手段）
２２    給液口
３１    電源端子（検出手段）
３３    電源端子（検出手段）
３５    燃料供給管（燃料供給路）
３７    燃料供給管（燃料供給路）
３９    開閉弁
４１    開閉弁
５０    ＣＰＵ（第１制御手段、第２制御手段）
８２    燃料タンク（燃料貯留部）
８４    燃料タンク（燃料貯留部）
８５    燃料供給管（燃料供給路）
８６    燃料電池（低燃料電池）
８７    燃料供給管（燃料供給路）
８８    燃料電池（高燃料電池）
１００  デジタルカメラ（燃料電池搭載機器）
【図１】
2005071911.tif 000003
【図２】
2005071911.tif 000004
【図３】
2005071911.tif 000005
【図４】
2005071911.tif 000006
【図５】
2005071911.tif 000007
【図６】
2005071911.tif 000008
【図７】
2005071911.tif 000009
【図８】
2005071911.tif 000010
【図９】
2005071911.tif 000011